(57)【特許請求の範囲】
【請求項１】
内壁の厚みよりも幅狭の枠材が、前記内壁の端面に取り付けられた内壁の端部構造であって、
前記枠材には、その幅方向の両端面に長手方向に延びる切溝が形成されており、
前記内壁の端面には、前記内壁における厚み方向の外側に張り出さないように、前記内壁を構成している壁下地材に前記枠材が固定されており、
一対の張出片が略９０度の角度をなすように相互に連設された、樹脂成型品である薄肉で長尺のコーナー下地材が、その一方の張出片が前記枠材の前記切溝に嵌入されると共に他方の張出片が、前記壁下地材を構成している下地ボードの表面に重ね合わされた状態で、前記壁下地材に固着されており、前記下地ボードから前記コーナー下地材にわたって連続的に壁仕上材が貼着されていることを特徴とする内壁の端部構造。
【請求項２】
前記コーナー下地材の一方の前記張出片は、前記枠材の前記切溝に遊嵌されている請求項１に記載の内壁の端部構造。
【請求項３】
前記枠材の前記切溝に遊嵌されている前記コーナー下地材の一方の前記張出片は、前記切溝における前記壁下地材側に位置しており、前記切溝における前記枠材の外面側に隙間が形成されている請求項２に記載の内壁の端部構造。
【請求項４】
前記枠材には、その両端面における前記切溝よりも前記壁下地材側に凹部が形成されており、
前記コーナー下地材には、前記凹部に嵌り込む凸部が形成されており、
前記コーナー下地材の前記凸部が前記枠材の前記凹部に嵌り込んだ状態では、前記コーナー下地材の一方の前記張出片が前記切溝における前記壁下地材側に位置決めされ、前記切溝における前記枠材の外面側に隙間が形成されるようになっている請求項２に記載の内壁の端部構造。
【請求項５】
前記枠材における前記壁下地材側の面には、前記枠材の幅方向の両端部に切欠部が形成されており、
前記コーナー下地材には、他方の前記張出片から突出する凸部が形成されており、
前記コーナー下地材の一方の前記張出片を前記切溝に嵌入した状態では、前記枠材における前記切溝と前記切欠部との間の部分が、一方の前記張出片と前記凸部とによって挟み込まれることで、前記コーナー下地材の一方の前記張出片が前記切溝における前記壁下地材側に位置決めされ、前記切溝における前記枠材の外面側に隙間が形成されるようになっている請求項２に記載の内壁の端部構造。
【請求項６】
前記コーナー下地材の一方の前記張出片が前記枠材の前記切溝に遊嵌された状態で、前記切溝における前記枠材の外面側に形成された隙間には、扁平なパッキン材が嵌入されている請求項３、４または５に記載の内壁の端部構造。
【請求項７】
前記切溝には、接着剤が充填されている請求項６に記載の内壁の端部構造。
【請求項８】
前記枠材に形成された前記切溝は、一方の前記張出片の先端部が遊びのない状態で嵌合する幅狭部と、前記枠材の端面側に形成された、前記枠材の外面側に広がる幅広部とを備えている請求項１に記載の内壁の端部構造。
【請求項９】
前記コーナー下地材は、一方の前記張出片と他方の前記張出片とによって形成される角部に、補強用のリブが形成されている請求項１、２、３、４、５、６、７または８に記載の内壁の端部構造。
【請求項１０】
前記コーナー下地材の前記リブは、前記枠材の厚み方向については、前記枠材の前記切溝に嵌入している一方の前記張出片から前記枠材における前記切溝の裏面側の厚み分までの領域内で、かつ、前記枠材の幅方向については、前記下地ボードの表面に重ね合わせた他方の前記張出片から前記下地ボードの厚み分までの領域内に形成されている請求項９に記載の内壁の端部構造。
【請求項１１】
請求項１に記載のコーナー下地材であって、
一方の前記張出片と他方の前記張出片とによって形成される角部に、補強用のリブが形成されていることを特徴とするコーナー下地材。
【請求項１２】
前記リブが、他方の前記張出片から一方の前記張出片の張出方向と同方向に張り出す突出片によって形成されている請求項１１に記載のコーナー下地材。
【発明の詳細な説明】
【技術分野】
【０００１】
この発明は、無目枠、開口枠、ドア枠、窓枠、引戸枠等の枠材が取り付けられる内壁の
端部構造及びその端部構造を構成しているコーナー下地材に関する。
【背景技術】
【０００２】
例えば、ドアや窓を取り付ける内壁の壁面開口部には、内壁の端面にドア枠や窓枠等の枠材を取り付けることになるが、これまでは、図２０に示すように、枠材６０の幅を内壁５０の壁厚より大きくすることで、枠材６０を内壁５０の外側に僅かに突出させるのが一般的であったが、近年は、壁面の凹凸をできるだけ少なくして、すっきりしたイメージを与えたいという要望があり、図２１に示すように、内壁５０の壁厚よりも幅狭の枠材６０を、内壁５０の外側に突出させないように、内壁５０の端面に取り付けた内壁の端部構造が採用されるようになってきている。
【０００３】
こういった内壁の端部構造を採用する場合は、同図に示すように、内壁５０の端面を形成している壁下地材５１の柱（間柱）５２に枠材６０を取り付けると共に、内壁５０の端面側における枠材６０の外側部分にも下地ボード５３を張り、内壁５０の端面側に回り込むように、クロス等の壁仕上材５４を下地ボード５３に貼着することになる。
【先行技術文献】
【特許文献】
【０００４】
【特許文献１】実用新案登録第２５１９１３７号公報
【発明の概要】
【発明が解決しようとする課題】
【０００５】
しかしながら、建築物を構成している内壁等の構造体は、必ずしも、精度良く施工されるわけではないので、壁面開口部等を形成している内壁の端面（枠材６０を固定する壁下地材５１の柱（間柱）５２の固定面）が水平や垂直になっていなかったり、波打っていたりすることが多いが、ドア枠等の枠材６０は垂直状態や水平状態に設置しなければならないので、内壁の端面が、水平や垂直になっていない場合や波打っていたりする場合は、図２２に示すように、枠材６０と内壁５０の端面との間に部分的に隙間Ｇが形成され、その隙間Ｇの大きさも位置によって異なることになる。
【０００６】
従って、枠材６０を設置する際は、壁面開口部等を形成している内壁５０の端面（壁下地材５１の柱（間柱）５２）とドア枠等の枠材６０との間に隙間調整部材を適宜挿入することによって、枠材６０の位置調整を行いながら、内壁５０の端面（壁下地材５１の柱（間柱）５２）に枠材６０を固定していくことになるので、図２３（ａ）に示すように、隙間調整部材６１を挿入している箇所と、同図（ｂ）に示すように、隙間調整部材を挿入していない箇所とでは、内壁５０の端面からの枠材６０の突出量Ｌが異なっており、体裁が悪いといった問題がある。
【０００７】
そこで、この発明の課題は、内壁の端面が水平や垂直になっていない場合や波打っている場合であっても、枠材の突出量が一定量に保持される内壁の端部構造及びその端部構造を構成しているコーナー下地材を提供することにある。
【課題を解決するための手段】
【０００８】
上記の課題を解決するため、請求項１に係る発明は、内壁の厚みよりも幅狭の枠材が、前記内壁の端面に取り付けられた内壁の端部構造であって、前記枠材には、その幅方向の両端面に長手方向に延びる切溝が形成されており、前記内壁の端面には、前記内壁における厚み方向の外側に張り出さないように、前記内壁を構成している壁下地材に前記枠材が固定されており、一対の張出片が略９０度の角度をなすように相互に連設された、樹脂成型品である薄肉で長尺のコーナー下地材が、その一方の張出片が前記枠材の前記切溝に嵌入されると共に他方の張出片が、前記壁下地材を構成している下地ボードの表面に重ね合わされた状態で、前記壁下地材に固着されており、前記下地ボードから前記コーナー下地材にわたって連続的に壁仕上材が貼着されていることを特徴とする内壁の端部構造を提供するものである。
【０００９】
また、請求項２に係る発明は、請求項１に係る発明の内壁の端部構造において、前記コーナー下地材の一方の前記張出片が、前記枠材の前記切溝に遊嵌されていることを特徴としている。
【００１０】
また、請求項３に係る発明は、請求項２に係る発明の内壁の端部構造において、前記枠材の前記切溝に遊嵌されている前記コーナー下地材の一方の前記張出片は、前記切溝における前記壁下地材側に位置しており、前記切溝における前記枠材の外面側に隙間が形成されていることを特徴としている。
【００１１】
また、請求項４に係る発明は、請求項２に係る発明の内壁の端部構造において、前記枠材には、その両端面における前記切溝よりも前記壁下地材側に凹部が形成されており、前記コーナー下地材には、前記凹部に嵌り込む凸部が形成されており、前記コーナー下地材の前記凸部が前記枠材の前記凹部に嵌り込んだ状態では、前記コーナー下地材の一方の前記張出片が前記切溝における前記壁下地材側に位置決めされ、前記切溝における前記枠材の外面側に隙間が形成されるようになっていることを特徴としている。
【００１２】
また、請求項５に係る発明は、請求項２に係る発明の内壁の端部構造において、前記枠材における前記壁下地材側の面には、前記枠材の幅方向の両端部に切欠部が形成されており、前記コーナー下地材には、他方の前記張出片から突出する凸部が形成されており、前記コーナー下地材の一方の前記張出片を前記切溝に嵌入した状態では、前記枠材における前記切溝と前記切欠部との間の部分が、一方の前記張出片と前記凸部とによって挟み込まれることで、前記コーナー下地材の一方の前記張出片が前記切溝における前記壁下地材側に位置決めされ、前記切溝における前記枠材の外面側に隙間が形成されるようになっていることを特徴としている。
【００１３】
また、請求項６に係る発明は、請求項３、４または５に係る発明の内壁の端部構造において、前記コーナー下地材の一方の前記張出片が前記枠材の前記切溝に遊嵌された状態で、前記切溝における前記枠材の外面側に形成された隙間に、扁平なパッキン材が嵌入されていることを特徴としている。
【００１４】
また、請求項７に係る発明は、請求項６に係る発明の内壁の端部構造において、前記切溝に、接着剤が充填されていることを特徴としている。
【００１５】
また、請求項８に係る発明は、請求項１に係る発明の内壁の端部構造において、前記枠材に形成された前記切溝は、一方の前記張出片の先端部が遊びのない状態で嵌合する幅狭部と、前記枠材の端面側に形成された、前記枠材の外面側に広がる幅広部とを備えていることを特徴としている。
【００１６】
また、請求項９に係る発明は、請求項１、２、３、４、５、６、７または８に係る発明の内壁の端部構造において、前記コーナー下地材は、一方の前記張出片と他方の前記張出片とによって形成される角部に、補強用のリブが形成されていることを特徴としている。
【００１７】
また、請求項１０に係る発明は、請求項９に係る発明の内壁の端部構造において、前記コーナー下地材の前記リブは、前記枠材の厚み方向については、前記枠材の前記切溝に嵌入している一方の前記張出片から前記枠材における前記切溝の裏面側の厚み分までの領域内で、かつ、前記枠材の幅方向については、前記下地ボードの表面に重ね合わせた他方の前記張出片から前記下地ボードの厚み分までの領域内に形成されていることを特徴としている。
【００１８】
また、請求項１１に係る発明は、請求項１に記載のコーナー下地材であって、一方の前記張出片と他方の前記張出片とによって形成される角部に、補強用のリブが形成されていることを特徴としている。
【００１９】
また、請求項１２に係る発明は、請求項１１に記載のコーナー下地材において、前記リブが、他方の前記張出片から一方の前記張出片の張出方向と同方向に張り出す突出片によって形成されていることを特徴としている。
【発明の効果】
【００２０】
以上のように、請求項１に係る発明の内壁の端部構造では、内壁を構成している壁下地材に枠材が固定されており、一対の張出片が略９０度の角度をなすように相互に連設された、樹脂成型品である薄肉で長尺のコーナー下地材が、その一方の張出片が枠材の切溝に嵌入されると共に他方の張出片が、壁下地材を構成している下地ボードの表面に重ね合わされた状態で、壁下地材に固着されており、下地ボードからコーナー下地材にわたって連続的に壁仕上材が貼着されているので、内壁の端面側の角部がコーナー下地材によって形成されることになり、しかも、コーナー下地材の一方の張出片によって形成される内壁の端面が、必ず、精度良く設置される枠材の溝部に対応する位置にくるので、枠材を固定する柱（間柱）が水平や垂直になっていない場合や波打っている場合であっても、内壁の端面からの枠材の突出量が常時一定量に保持され、枠材を取り付けた内壁端部の外観が損なわれることがない。
【００２１】
また、請求項２に係る発明の内壁の端部構造では、コーナー下地材の一方の張出片が、枠材の切溝に遊嵌されているので、壁仕上材の端部を枠材の溝部に挿入することができる。従って、枠材自体が変形しても、コーキングが切れるだけで、壁仕上材が剥がれることがなく、内壁端部の外観が損なわれにくいという効果が得られる。
【００２２】
また、請求項３に係る発明の内壁の端部構造では、枠材の切溝に遊嵌されているコーナー下地材の一方の張出片が、切溝における壁下地材側に位置しており、切溝における枠材の外面側に隙間が形成されているので、その隙間にコーキング剤を充填することができる。従って、コーキング剤による壁仕上材の接着強度が向上し、壁仕上材がよりはがれにくくなるという効果が得られる。
【００２３】
また、請求項４に係る発明の内壁の端部構造では、コーナー下地材に形成された凸部を、枠材の両端面における切溝よりも壁下地材側に形成された凹部に嵌め込むことによって、コーナー下地材の一方の張出片が切溝における壁下地材側に位置決めされ、切溝における枠材の外面側に隙間が形成されるようになっており、また、請求項５に係る発明の内壁の端部構造では、コーナー下地材の一方の張出片を切溝に嵌入した状態では、枠材における切溝と切欠部との間の部分が、一方の張出片と凸部とによって挟み込まれることで、一方の張出片が切溝における壁下地材側に位置決めされ、切溝における枠材の外面側に隙間が形成されるようになっているので、コーナー下地材を取り付ける際、作業者は意識しなくても、コーキング剤を充填するための隙間を切溝に確実に形成することができる。
【００２４】
ただ、樹脂製のコーナー下地材は柔らかくて変形しやすく、コーキング剤は硬化した後も柔軟性があるので、切溝に充填したコーキング剤だけでは、切溝に挿入したコーナー下地材の張出片を確実に固定することができず、コーナー下地材の張出片が切溝内で位置ずれしたり、樹脂製のコーナー下地材がぐらぐらしたりするおそれがあるが、請求項６に係る発明の内壁の端部構造のように、切溝における枠材の外面側に形成された隙間に、扁平なパッキン材を嵌入しておくと、切溝に挿入したコーナー下地材の張出片を位置決めして確実に固定することができるので、コーナー下地材を指で押しても、ぐらぐらしたり、動いたりすることがなくなり、施工の信頼性が向上する。
【００２５】
特に、請求項７に係る発明の内壁の端部構造のように、切溝に接着剤を充填しておくと、扁平なパッキン材を嵌入することによって、充填した接着剤が切溝とコーナー下地材との間、コーナー下地材とパッキン材との間及びパッキン材と切溝との間に均一に回り込むので、切溝に嵌入されているコーナー下地材の張出片が全体的に接着されると共に、アンカー効果によって接着性が向上するので、コーナー下地材をさらに確実に固定することができる。
【００２６】
また、請求項８に係る発明の内壁の端部構造では、コーナー下地材における一方の張出片の先端部を、枠材に形成された切溝の幅狭部に嵌入すると、コーナー下地材が位置決めされ、しかも、枠材の端面側に形成された切溝の幅広部にコーキング剤を充填することができるので、枠材やコーナー下地材に位置決用の凹凸部等を別途形成する必要がなく、コーキング剤を充填するための空間を確実に形成することができる。
【００２７】
また、請求項９に係る発明の内壁の端部構造では、一方の張出片と他方の張出片とによって形成される角部に補強用のリブが形成されている、請求項１１に係る発明のコーナー下地材を使用しているので、このコーナー下地材によって形成される内壁の端面側の角部が損傷を受けたり、変形したりしにくいという効果が得られる。
【００２８】
また、請求項１０に係る発明の内壁の端部構造では、枠材の厚み方向については、一方の張出片から枠材における切溝の裏面側の厚み分までの領域内で、かつ、枠材の幅方向については、他方の張出片から下地ボードの厚み分までの領域内にリブが形成されているコーナー下地材を使用しているので、コーナー下地材を取り付ける際、リブが障害になることがなく、コーナー下地材を適正な位置に確実に取り付けることができる。
【００２９】
また、請求項１２に係る発明のコーナー下地材は、他方の張出片から一方の張出片の張出方向と同方向に張り出す突出片によってリブが形成されているので、この突出片が嵌合する切溝を枠材の両端面の所定位置に形成したり、枠材における壁下地材側の面に、枠材の幅方向の両端部に切欠部を形成し、切溝に嵌入した一方の張出片と突出片とによって、枠材における切溝と切欠部との間の部分を挟み込むようにしておくと、一方の張出片を切溝における壁下地材側に位置決めすることができ、これによって、切溝における枠材の外面側に隙間を形成することができるので、コーナー下地材によって形成される内壁の端面側の角部を補強しつつ、コーキング剤を充填するための空間を確実に確保することができるという効果が得られる。
【図面の簡単な説明】
【００３０】
【図１】この発明に係る内壁の端部構造の一実施形態を採用したドアの取付部分を示す正面図である。
【図２】図１のＸ−Ｘ線に沿った断面図である。
【図３】同上の内壁の端部構造を示す拡大断面図である。
【図４】（ａ）は同上の内壁の端部構造に採用されているコーナー下地材を外側から視た部分斜視図、（ｂ）は同上のコーナー下地材を内側から視た部分斜視図、（ｃ）は同上のコーナー下地材を示す端面図である。
【図５】（ａ）、（ｂ）は同上の内壁の端部構造の施工方法を示す工程図である。
【図６】（ａ）、（ｂ）は同上の内壁の端部構造の施工方法を示す工程図である。
【図７】同上の内壁の端部構造の施工方法を示す工程図である。
【図８】（ａ）は同上の内壁の端部構造における隙間調整部材を挿入している箇所を示す断面図、（ｂ）は同上の内壁の端部構造における隙間調整部材を挿入していない箇所を示す断面図である。
【図９】（ａ）、（ｂ）は他の実施形態である内壁の端部構造の施工方法を示す工程図である。
【図１０】（ａ）、（ｂ）は同上の内壁の端部構造の施工方法を示す工程図である。
【図１１】（ａ）、（ｂ）は同上の内壁の端部構造の施工方法を示す工程図である。
【図１２】（ａ）、（ｂ）は枠材に形成される切溝の変形例を示す部分断面図である。
【図１３】（ａ）、（ｂ）は枠材に形成される切溝の変形例を示す部分断面図である。
【図１４】（ａ）、（ｂ）は枠材に形成される切溝の変形例を示す部分断面図である。
【図１５】枠材に形成される切溝の変形例を示す部分断面図である。
【図１６】（ａ）〜（ｄ）はコーナー下地材の変形例を示す端面図である。
【図１７】（ａ）はコーナー下地材の変形例を示す端面図、（ｂ）は同上のコーナー下地材を取り付けた状態を示す断面図である。
【図１８】（ａ）はコーナー下地材の変形例を示す端面図、（ｂ）は同上のコーナー下地材を取り付けた状態を示す断面図である。
【図１９】（ａ）、（ｂ）は図１７に示すコーナー下地材の変形例を示す端面図である。
【図２０】一般的に採用されている従来の内壁の端部構造を示す断面図である。
【図２１】近年採用され始めた従来の内壁の端部構造を示す断面図である。
【図２２】精度良く形成されていない壁面開口部に枠材を取り付ける場合の内壁の端面と枠材との位置関係を説明するための説明図である。
【図２３】（ａ）、（ｂ）は近年採用され始めた従来の内壁の端部構造の問題点を説明するための断面図である。
【発明を実施するための形態】
【００３１】
以下、実施の形態について図面を参照して説明する。図１及び図２は、内壁１０に形成された壁面開口部にドア枠２０を設置し、このドア枠２０にドアＤを取り付けた状態を示している。このドア枠２０は、左右一対の縦枠２１、２１と、この縦枠２１、２１をその上端部で連結する上枠２２とから構成されており、縦枠２１、２１及び上枠２２は、内壁１０の厚みよりも幅狭に形成されている。なお、縦枠２１、２１及び上枠２２は、木質材料によって形成されており、縦枠２１、２１及び上枠２２には、合成樹脂等によって形成された戸当り２３が取り付けられている。
【００３２】
図３は、前記縦枠２１が取り付けられている内壁１０の端部構造を示す拡大断面図である。内壁１０は、壁下地材１１、樹脂成形品である長尺のコーナー下地材３０及び壁仕上材（クロス）１４とから構成されており、縦枠２１が、内壁１０の厚み方向の外側に張り出さないように、内壁１０の開口端面を形成している壁下地材１１の間柱１２にビス止めされていると共に、コーナー下地材３０が、縦枠２１と壁下地材１１の下地ボード（石膏ボード）１３とに取り付けられており、このコーナー下地材３０によって内壁１０における端面側のコーナー部が形成されている。なお、縦枠２１は垂直に設置しなければならないが、間柱１２は精度良く施工されているわけではないので、間柱１２と縦枠２１との間には、必要に応じて、隙間調整部材Ｓが挿入されている。
【００３３】
前記コーナー下地材３０は、図４（ａ）〜（ｃ）に示すように、略９０度の角度をなすように、相互に連設された一対の張出片３１、３１と、一対の張出片３１、３１の連設部である角部を補強するために、各張出片３１、３１の基端部側から、相互に対向するように、斜めに張り出した補強用のリブ３２、３２とを備えており、各張出片３１、３１におけるリブ３２の連設部よりも先端側には、その外面に、パテや壁仕上材（クロス）１４の接着強度を高めるために、長手方向に延びる多数の凹条３１ａが形成されていると共に、その内面に両面粘着テープ（図示せず）が予め貼着されている。なお、このコーナー下地材３０は、内壁１０における端面側のコーナー部に柔らかい印象を与えるために、その角部に丸みを持たせてある。
【００３４】
前記リブ３２、３２は、図３に示すように、縦枠２１の厚み方向については、一方の張出片３１から縦枠２１における切溝２１ａの裏面側の厚みＴ１分までの領域α内に形成されており、縦枠２１の幅方向については、他方の張出片３１から下地ボード１３の厚みＴ２分までの領域β内に形成されている。
【００３５】
このコーナー下地材３０は、図３に示すように、一方の張出片３１が縦枠２１の端面に形成された、幅が０．６〜３．０ｍｍの切溝２１ａに遊嵌されていると共に、他方の張出片３１の内面側が壁下地材１１を構成している下地ボード１３の表面に両面テープ（図示せず）によって貼着されており、一方の張出片３１が遊嵌されている切溝２１ａにおける縦枠２１の外面側に隙間が形成されるように、一方の張出片３１は、切溝２１ａにおける壁下地材１１側に位置している。
【００３６】
張出片３１の先端側は、その厚みが０．１〜０．６ｍｍ程度の薄肉状に形成されているが、下地ボード１３の表面との間には僅かな段差が生じているので、その段差部分をパテＰによって埋めることで、下地慣らしが行われている。
【００３７】
また、内壁１０を構成している壁仕上材（クロス）１４は、下地ボード１３からコーナー下地材３０にわたって貼着されており、コーナー下地材３０側の端縁を縦枠２１の切溝２１ａに挿入した状態で、縦枠２１の外面側に形成された切溝２１ａの隙間部分にコーキング剤Ｃが充填されている。
【００３８】
以下、この内壁１０の端部構造の施工方法について説明する。まず、図５（ａ）に示すように、内壁１０を構成している壁下地材１１の端面に縦枠２１を固定することになるが、上述したように、壁下地材１１の間柱１２は精度良く施工されているわけではないので、垂直に設置しなければならない縦枠２１との間に隙間が形成される場合は、同図（ａ）に示すように、間柱１２と縦枠２１との間に隙間調整部材Ｓを挿入した状態で、縦枠２１を間柱１２にビス止めする。
【００３９】
続いて、同図（ｂ）に示すように、コーナー下地材３０の一方の張出片３１を縦枠２１の端面に形成された切溝２１ａに嵌入すると共に、他方の張出片３１の内面側を壁下地材１１を構成している下地ボード１３の表面に両面テープ（図示せず）によって貼着する。このとき、一方の張出片３１が遊嵌されている切溝２１ａにおける縦枠２１の外面側に隙間が形成されるように、一方の張出片３１の内面を、切溝２１ａにおける壁下地材１１側の壁面に接触させた状態で、他方の張出片３１を下地ボード１３に貼着する。
【００４０】
次に、図６（ａ）に示すように、コーナー下地材３０の他方の張出片３１と、下地ボード１３の表面との間に生じた僅かな段差部分をパテＰによって埋めることで、下地慣らしを行った後、同図（ｂ）に示すように、壁仕上材（クロス）１４を、下地ボード１３側からコーナー下地材３０側に貼着していき、その端縁を縦枠２１の切溝２１ａに挿入する。最後に、図７に示すように、壁仕上材（クロス）１４が挿入された切溝２１ａの隙間部分にコーキング剤Ｃを充填することによって、壁仕上材（クロス）１４の端縁部分を固定する。
【００４１】
以上のように、この内壁１０の端部構造では、内壁１０における端面側のコーナー部を形成しているコーナー下地材３０が、縦枠２１の所定位置に取り付けられているので、例えば、図８（ａ）、（ｂ）に示すように、縦枠２１を固定する壁下地材の間柱１２が垂直になっていなかったため、縦枠２１を固定しようとする間柱１２の端面が、ある高さ位置と他の高さ位置とで、水平方向にΔｄだけずれていたとしても、内壁１０の端面からの縦枠２１の突出量Ｌが常時一定量に保持され、縦枠２１を取り付けた内壁端部の外観が損なわれることがない。
【００４２】
また、この内壁１０の端部構造では、コーナー下地材３０の一方の張出片３１が、縦枠２１の切溝２１ａに遊嵌されており、壁仕上材１４の端縁を縦枠２１の切溝２１ａに挿入しているので、縦枠２１自体が変形しても、コーキングが切れるだけで、壁仕上材１４が剥がれることがなく、内壁端部の外観が損なわれにくい。
【００４３】
特に、この内壁１０の端部構造では、縦枠２１の切溝２１ａに遊嵌されているコーナー下地材３０の一方の張出片３１が、切溝２１ａにおける壁下地材１１側に位置しており、切溝２１ａにおける縦枠２１の外面側に形成される隙間にコーキング剤Ｃを充填しているので、コーキング剤Ｃによる壁仕上材１４の接着強度が向上し、壁仕上材１４がより剥がれにくい。
【００４４】
また、コーナー下地材３０のリブ３２、３２は、図３に示すように、縦枠２１の厚み方向については、一方の張出片３１から縦枠２１における切溝２１ａの裏面側の厚みＴ１分までの領域α内で、かつ、縦枠２１の幅方向については、他方の張出片３１から下地ボード１３の厚みＴ２分までの領域β内に形成されているので、間柱１２と縦枠２１との間に隙間調整部材Ｓを挿入しない場合や縦枠２１の幅が変動した場合であっても、コーナー下地材３０を取り付ける際に、リブ３２が障害になることがなく、コーナー下地材３０を適正な位置に確実に取り付けることができる。
【００４５】
また、内壁の端面に取り付けるドア枠等の枠材については、すっきりしたイメージを与えるために、その幅を小さくするだけでなく、厚みについても小さくすることが望まれているが、ドア枠（縦枠）の場合は、ストライクを装着しなければならないことから、厚みを薄くすることができないといった問題があった。しかしながら、この内壁１０の端部構造では、実際はストライクを装着可能な厚い縦枠２１を使用しているにも拘わらず、外観上は薄く見せることができるので、さらにすっきりしたイメージを与えることができる。
【００４６】
なお、上述した実施形態では、縦枠２１の端面に形成された切溝２１ａに遊嵌したコーナー下地材３０の一方の張出片３１を、切溝２１ａに充填したコーキング剤Ｃによって固定しているが、樹脂成形品である薄肉のコーナー下地材３０は柔らかくて変形しやすく、コーキング剤Ｃは硬化した後も柔軟性があるので、切溝２１ａに充填したコーキング剤Ｃだけでは、切溝２１ａに遊嵌したコーナー下地材３０の張出片３１を確実に固定することができず、コーナー下地材３０の張出片３１が切溝２１ａ内で位置ずれしたり、コーナー下地材３０を指で押すと、コーナー下地材３０がぐらぐらしたりするおそれがあるので、以下に示すような施工方法を採用することが望ましい。
【００４７】
まず、図９（ａ）に示すように、切溝２１ａに接着剤Ａを充填した後、同図（ｂ）に示すように、コーナー下地材３０の一方の張出片３１を、その内面が切溝２１ａにおける壁下地材１１側の壁面に接触するような状態で、縦枠２１の端面に形成された切溝２１ａに挿入すると共に、他方の張出片３１の内面側を壁下地材１１を構成している下地ボード１３の表面に両面テープによって貼着する。
【００４８】
続いて、図１０（ａ）に示すように、合成樹脂によって形成された、切溝２１ａの深さよりも２ｍｍ程度短い幅を有する長尺扁平状のパッキン材Ｆを、切溝２１ａにおける縦枠２１の外面側に形成される隙間に、ドライバー等を利用して切溝１２ａの奥まで圧入した後、同図（ｂ）に示すように、コーナー下地材３０の他方の張出片３１と、下地ボード１３の表面との間に生じた僅かな段差部分をパテＰによって埋めることで、下地慣らしを行う。
【００４９】
最後に、図１１（ａ）に示すように、壁仕上材（クロス）１４を、下地ボード１３側からコーナー下地材３０側に貼着していき、その端縁を縦枠２１の切溝２１ａに挿入した後、同図（ｂ）に示すように、壁仕上材（クロス）１４が挿入された切溝２１ａの隙間部分にコーキング剤Ｃを充填することによって、壁仕上材（クロス）１４の端縁部分を固定する。
【００５０】
このように、切溝２１ａに予め接着剤Ａを充填した状態で、コーナー下地材３０の一方の張出片３１を縦枠２１の切溝２１ａに挿入し、パッキン材Ｆを切溝２１ａにおける縦枠２１の外面側に形成される隙間に圧入すると、切溝２１ａに充填した接着剤Ａが、切溝２１ａ内において、コーナー下地材３０の張出片３１やパッキン材Ｆの間に均一に回り込むので、切溝２１ａに挿入されているコーナー下地材３０の張出片３１が全体的に接着されると共に、その接着性がアンカー効果によって向上するので、コーナー下地材３０の一方の張出片３１を切溝３１ａ内の所定位置に確実に固定することができる。従って、コーナー下地材３０を指で押しても、ぐらぐらしたり、動いたりすることがなくなり、施工の信頼性が向上する。
【００５１】
また、パッキン材Ｆは、上述した断面長方形状のものに限定されるものではなく、幅方向の一方側が先細に形成された断面楔状であってもよく、圧入したときにスプリングバック力が作用するように、薄肉の樹脂片や金属片をＶ字状に折り曲げたものでもよい。
【００５２】
また、上述した実施形態では、縦枠２１の切溝２１ａは、溝深さに拘わらず、同幅に形成されているが、これに限定されるものではなく、例えば、図１２（ａ）、（ｂ）に示す切溝２１ｂ、２１ｃのように、縦枠２１の内部側に形成された幅狭部ｎと、縦枠２１の端面側に形成された、縦枠２１の外面側に広がる幅広部ｗとによって構成しておくと、壁仕上材１４の端縁を挿入しやすくなると共に、コーキング剤の充填量が大きくなるので、コーキング剤による壁仕上材１４の接着強度をさらに向上させることができる。
【００５３】
特に、図１３（ａ）、（ｂ）に示す切溝２１ｄ、２１ｅのように、縦枠２１の内部側に形成された幅狭部ｎを、コーナー下地材３０における一方の張出片３１の先端部が遊びのない状態で嵌合するような溝幅に設定しておくと、一方の張出片３１の先端部を、切溝２１ｄ、２１ｅの幅狭部ｎに嵌入すると、コーナー下地材３０が位置決めされるので、コーナー下地材３０を常に適正な位置に取り付けることができる。
【００５４】
また、図１４（ａ）に示すように、縦枠２１の端面側に向かって、縦枠２１の外面側に溝幅が広がるテーパ状の切溝２１ｆや、同図（ｂ）に示すように、縦枠２１の内部に向かって、壁下地材１１側に傾斜させた切溝２１ｇを形成しておくと、コーナー下地材３０の一方の張出片３１を切溝２１ｆ、２１ｇに遊嵌させながら、コーナー下地材３０に対するある程度の位置決め機能を付与することができる。
【００５５】
また、図１５に示すように、縦枠２１における切溝２１ａよりも壁下地材１１側を幅広にすることで、張出部ＯＨを形成しておくと、コーナー下地材３０の一方の張出片３１が縦枠２１に接触する面積が拡大するので、コーナー下地材３０の支持強度が向上する。
【００５６】
また、上述した各実施形態では、補強用のリブ３２、３２が各張出片３１、３１の基端部側から斜めに張り出したコーナー下地材３０を使用しているが、これに限定されるものではなく、例えば、図１６（ａ）、（ｂ）に示すように、ループ状のリブ３２ａ、３２ｂを採用してもよく、同図（ｃ）、（ｄ）に示すように、コーナー下地材３０の角部から４５度の角度で突出するリブ３２ｃ、３２ｄを採用してもよい。ただし、リブ３２ａ、３２ｂ、３２ｃ、３２ｄについても、上述したリブ３２の場合と同様に、縦枠２１の厚み方向については、一方の張出片３１から縦枠２１における切溝２１ａの裏面側の厚みＴ１分までの領域α内で、かつ、縦枠２１の幅方向については、他方の張出片３１から下地ボード１３の厚みＴ２分までの領域β内に形成する必要があることは言うまでもない。
【００５７】
また、図１７（ａ）、（ｂ）に示すように、他方の張出片３１から、一方の張出片３１の張出方向と同方向に張り出す突出片３３を形成してなるコーナー下地材３０Ａを採用すると共に、縦枠２１における壁下地材１１側の面における縦枠２１の幅方向の両端部に切欠部ＣＰを形成し、コーナー下地材３０Ａの一方の張出片３１を切溝２１ａに嵌入することによって、縦枠２１における切溝２１ａと切欠部ＣＰとの間の部分が、一方の張出片３１と突出片３３とによって挟み込まれるようにしておくと、一方の張出片３１が切溝２１ａにおける壁下地材１１側に位置決めされ、切溝２１ａにおける縦枠２１の外面側に隙間が形成されるので、コーナー下地材３０Ａを取り付ける際、作業者は意識しなくても、コーキング剤を充填するための隙間を切溝２１ａに確実に形成することができると共に、突出片３３が角部の補強用リブとしても機能するので、コーナー下地材３０Ａによって形成される内壁１０の端面側の角部が損傷を受けたり、変形したりしにくいという効果も得られる。
【００５８】
また、図１８（ａ）、（ｂ）に示すように、コーナー下地材３０Ａにおける一方の張出片３１と突出片３３との間隔を狭くすると共に、縦枠２１の両端面における切溝２１ａよりも壁下地材１１側に、突出片３３が遊びのない状態で嵌合する切溝２１ｈを別途形成し、コーナー下地材３０Ａの突出片３３が縦枠２１の切溝２１ｈに嵌り込んだ状態で、コーナー下地材３０Ａの一方の張出片３１が切溝２１ａにおける壁下地材１１側に位置決めされるようにしておくことで、縦枠２１における切溝２１ａと切欠部ＣＰとの間の部分を、一方の張出片３１と突出片３３とによって挟み込む場合と同様の効果を得ることができる。特に、一方の張出片３１と突出片３３との間隔を狭くすることによって、突出片３３の張りだし位置が角部に近づくので、補強用リブとしての効果がさらに高くなる。
【００５９】
なお、図１７（ａ）及び図１８（ａ）に示すコーナー下地材３０Ａは、コーナー下地材３０Ａの長手方向の全長にわたって突出片３３を設けているが、これに限定されるものではなく、例えば、突出片３３に替えてコーナー下地材３０Ａの長手方向に一定間隔で複数の突起等の凸部を設け、この凸部と一方の張出片とによって、縦枠２１における切溝２１ａと切欠部ＣＰとの間の部分を挟み込んだり、切溝２１ｈに替えて縦枠２１に形成した凹部に凸部を嵌め込んだりすることによって、一方の張出片３１を切溝２１ａにおける壁下地材１１側に位置決めすることも可能である。
【００６０】
また、コーナー下地材３０Ａは、上述したように、突出片３３が補強リブとしても機能するが、図１９（ａ）に示すように、一方の張出片３１と突出片３３とを連結するリブ３２ｅや、同図（ｂ）に示すように、このリブ３２ｅと共に、角部と突出片３３とを連結するリブ３２ｆを設けておくと、コーナー下地材３０Ａによって形成される内壁１０の端面側の角部が、さらに、損傷を受けたり、変形したりしにくくなる。
【００６１】
また、上述した実施形態では、コーナー下地材３０の他方の張出片３１の内面側を壁下地材１１を構成している下地ボード１３の表面に両面テープによって貼着した後、そのままの状態で、下地ボード１３の表面との間に生じた僅かな段差部分をパテＰによって埋めることで、下地慣らしを行っているが、これに限定されるものではなく、下地慣らしを行う前に、コーナー下地材３０の他方の張出片３１及び下地ボード１３の双方を覆うように、メッシュシート等によって形成されたジョイントテープを貼着して補強するようにしてもよい。
【００６２】
また、上述した各実施形態は、内壁１０に形成された壁面開口部に縦枠２１を取り付ける場合について説明したが、上枠２２についても同様の端部構造を採用することができることはいうまでもなく、ドア枠以外に、無目枠、開口枠、窓枠、引戸枠等の枠材を内壁の端面に取り付ける場合に、本発明の端部構造を採用することができる。
【産業上の利用可能性】
【００６３】
本発明の内壁の端部構造は、内壁の壁厚よりも幅狭の枠材を内壁の端面に取り付ける場合に利用することができる。
【符号の説明】
【００６４】
１０  内壁
１１  壁下地材
１２  間柱
１３  下地ボード
１４  壁仕上材（クロス）
２０  ドア枠
２１  縦枠
２１ａ、２１ｂ、２１ｃ、２１ｄ、２１ｅ、２１ｆ、２１ｇ  切溝
２１ｈ  切溝（凹部）
２２  上枠
２３  戸当り
３０、３０Ａ  コーナー下地材
３１  張出片
３１ａ  凹条
３２、３２ａ、３２ｂ、３２ｃ、３２ｄ、３２ｅ、３２ｆ  リブ
３３  突出片（凸部）
Ａ  接着剤
Ｆ  パッキン材
Ｃ  コーキング剤
Ｐ  パテ
Ｓ  隙間調整部材
ＣＰ  切欠部
ＯＨ  張出部
【図１】
0005902381.tif 000002
【図２】
0005902381.tif 000003
【図３】
0005902381.tif 000004
【図４】
0005902381.tif 000005
【図５】
0005902381.tif 000006
【図６】
0005902381.tif 000007
【図７】
0005902381.tif 000008
【図８】
0005902381.tif 000009
【図９】
0005902381.tif 000010
【図１０】
0005902381.tif 000011
【図１１】
0005902381.tif 000012
【図１２】
0005902381.tif 000013
【図１３】
0005902381.tif 000014
【図１４】
0005902381.tif 000015
【図１５】
0005902381.tif 000016
【図１６】
0005902381.tif 000017
【図１７】
0005902381.tif 000018
【図１８】
0005902381.tif 000019
【図１９】
0005902381.tif 000020
【図２０】
0005902381.tif 000021
【図２１】
0005902381.tif 000022
【図２２】
0005902381.tif 000023
【図２３】
0005902381.tif 000024